(57)【特許請求の範囲】
【請求項１】
過電流および地絡保護機能を備えた漏電遮断器であって、本体ケースに主回路接点，開閉機構，操作ハンドル，過電流引外し装置，および零相変流器と漏電検出回路を含む漏電引外し装置を搭載した上で、さらに前記漏電検出回路と主回路との間に配線した給電回路を入り，切りする手動操作式のメガテスト用スイッチを装備し、遮断器の絶縁・耐電圧試験時にメガテスト用スイッチをＯＦＦ操作して漏電検出回路を主回路から切り離すようにしたものにおいて、
前記メガテスト用スイッチを、スイッチ本体と、一端をスイッチ本体の操作ロッドに連繋し、他端を遮断器開閉機構のトリップクロスバーに対峙させたアクチュエータとの組立ユニットで構成して遮断器の本体ケースに内装するとともに、前記アクチュエータに対向してスイッチ本体をＯＮ／ＯＦＦ操作するプッシュ／捻回ロック式押ボタンを遮断器本体ケースのカバーに装着し、前記押ボタンのプッシュ／捻回操作によりアクチュエータを介してメガテスト用スイッチのスイッチ本体をＯＦＦさせるととともに、前記トリップクロスバーをラッチ釈放位置に駆動して遮断器をトリップさせ、同時に押ボタンをこの位置にロックしてトリップクロスバーをラッチ釈放位置に拘束保持するようにしたことを特徴とする漏電遮断器。
【請求項２】
請求項1に記載の漏電遮断器において、メガテスト用スイッチのスイッチ本体は、各極の間が仕切られた絶縁物製のスイッチケースと、左右一対の接触子を組みとして前記ケースの底部側に配した固定電極と、前記固定電極の上方に対向配置した橋絡形の可動接触子と、各極の可動接触子を一括保持してその操作端部をスイッチケースの上方に引出した可動接触子ホルダとの組立体で構成したことを特徴とする漏電遮断器。
【請求項３】
請求項１に記載の漏電遮断器において、メガテスト用スイッチのアクチュエータは、付勢ばねと組合せたシーソー式レバーを基体として、その軸部の両側に延在する一方のアーム先端にスイッチ本体の操作端部と連繋する係合部を形成し、押ボタンの先端と向かい合う他方側のアーム先端を屈曲してトリップクロスバーの操作端に対峙させたことを特徴とする漏電遮断器。
【請求項４】
請求項１に記載の漏電遮断器において、押ボタンを復帰ばねと組合せて遮断器本体ケースのカバーに形成した筒状ガイドに嵌挿保持し、かつ筒状ガイドの周面にはボタンに形成した突起を嵌合して押ボタンをＯＮ／ＯＦＦ方向に案内する縦向きのスリット、および該スリットの下側終端から周方向に延在して押ボタンをプッシュ／捻回ロック位置に係止保持する係合段部を形成したことを特徴とする漏電遮断器。
【請求項５】
請求項２に記載の漏電遮断器において、メガテスト用スイッチを遮断器の本体ケースに搭載した零相変流器と本体ケースの側壁との間でその前後が零相変流器を貫通するＵ字状の主回路導体で囲まれた凹状スペースに内装し、かつスイッチ本体とアクチュエータを保持するユニットケースに本体ケースの側壁上縁に形成した係合溝に嵌合してユニット組立体を所定位置に係止保持する係合凸部を設けたことを特徴とする漏電遮断器。
【請求項６】
請求項４記載の漏電遮断器において、遮断器本体ケースのカバー上面にトップカバーを付設し、前記カバーに装着した押ボタンの操作端に位置を合わせてトップカバーに押ボタンの操作窓穴を開口したことを特徴とする漏電遮断器。
【発明の詳細な説明】
【技術分野】
【０００１】
本発明は、低電圧配電系統に適用する漏電遮断器に関し、詳しくは遮断器に搭載して絶縁・耐電圧試験（メガテスト）を行う際に漏電検出回路を主回路から切り離すメガテスト用スイッチの組立構造に係わる。
【背景技術】
【０００２】
最近の漏電遮断器は、需要家サイドでの使い勝手性を高めるために、配線用遮断器，漏電遮断器の本体ケースを同じ外形サイズとし、本体ケースに内装した機能部品をできるだけ共用化した漏電遮断器が主流となっている。
この漏電遮断器は、配線用遮断器と同様な過電流保護機能部品のほかに、主回路を一次導体として主回路の不平衡電流を検出する零相変流器、および零相変流器の二次出力レベルから地絡事故発生を検知する漏電検出回路（ＩＣを含む電子回路），および漏電検出回路の出力信号を受けて遮断器の開閉機構をトリップ動作させるトリップコイルユニットを装備している。また、前記漏電検出回路の制御電源として、主回路の相間電圧を整流して漏電検出回路に給電するようにしている。
【０００３】
一方、漏電遮断器には主回路の相間絶縁耐力が規格で規定されており、製品ごとに絶縁・耐電圧試験（メガテスト）を行って絶縁強度を測定するようにしている。このメガテストは、漏電遮断器の主回路接点を開極（ＯＦＦ）した状態で、主回路端子の相間に試験電圧を印加して行うようにしており、その試験電圧は漏電遮断器の定格電圧によって異なり、例えば定格電圧４００〜６００Ｖの漏電遮断器の試験電圧は２５００Ｖに規定されている。
【０００４】
ところで、漏電遮断器のメガテストを実施する場合に、前記の漏電検出回路を主回路の相間に接続したまま試験電圧を印加すると、電子回路である漏電検出回路が試験電圧で破壊されてしまうため、試験時には必ず漏電検出回路を主回路から切り離しておくことが必要である。そこで、漏電遮断器の使用先でメガテストが簡単に行えるようにするために、漏電遮断器の本体ケースに耐電圧テスト用スイッチ（メガテスト用スイッチ）を追加装備し、メガテスト時に漏電検出回路の電源回路を断路するようにしたものが知られている（例えば、特許文献１参照）。
【０００５】
また、前記メガテスト用スイッチのＯＦＦ操作に連動して遮断器の開閉機構を機械的に強制トリップさせて主回路接点を開極させるようにした漏電遮断器も先に提案されており（例えば、特許文献２参照）、三相３線式回路用の漏電遮断器を例にその回路図を図５に、また漏電遮断器の組立構造を図６に示す。
まず、図５において、１はＲ，Ｓ，Ｔの各相に対応する主回路、２は主回路接点、３は主回路接点２の開閉機構部、４は操作ハンドル、５は主回路１の過負荷電流，短絡電流を検出して開閉機構３をトリップ動作させる過電流引外し装置である。また、配電路の地絡発生を検出して開閉機構３をトリップさせる漏電引外し装置は、Ｒ，Ｓ，Ｔ各相の主回路１を一次導体としてその不平衡電流を検出する零相変流器６と、零相変流器６の二次出力レベルから地絡発生を検知する漏電検出回路（ＩＣを含む電子回路）７と、漏電検出回路７からの出力信号を受けて開閉機構３をトリップ動作させるトリップコイルユニット８からなる。
【０００６】
ここで、漏電検出回路７はその制御電源として、各相の主回路１との間に配線した電源線９，整流回路１０を介して主回路の相間電圧を給電するようにし、この電源回路にはメガテスト用スイッチ（耐電圧テスト用スイッチ）１１が介挿接続されている。そして、漏電遮断器のメガテストを実施する際には、試験に先立ちメガテスト用スイッチ１１を手動によりＯＦＦ操作して漏電検出回路７を主回路から断路し、このスイッチＯＦＦ操作に連動して遮断器を機械的に強制トリップさせて主回路接点を開極するようにしている。なお、図示例では主回路のＲ，Ｓ，Ｔ相の各相電圧を直流変換して給電しているが、Ｒ−Ｔ相の相間電圧を漏電検出回路７に給電する場合もある。
【０００７】
次に、メガテスト用スイッチを装備した前記漏電遮断器の構成を図６に示す。図６において、１２はケース１２ａとカバー１２ｂからなる遮断器の本体ケース（モールド樹脂成形品）であり、本体ケース１２にはトグルリンク式の開閉機構３，操作ハンドル４，過電流引外し装置５，零相変流器６、および漏電検出回路７，トリップコイルユニット８，メガテスト用スイッチ１１が図示のようなレイアウトに装備されている。なお、ケース１２ａはＲ，Ｓ，Ｔ各相に対応する空間が相間隔壁で仕切られており、図中で１３はＲ，Ｓ，Ｔ各相の主回路導体、１４は電流遮断部に設けた消弧装置、１５は過電流引外し装置５，トリップコイルユニット８の機械的な出力信号を受けて開閉機構３のラッチを釈放してトリップ動作させるトリップクロスバーである。
【０００８】
ここで、漏電検出回路７はそのプリント板をユニットケースに収容した上で、零相変流器６と零相変流器を貫通する「Ｕ字形」の一次導体とケース１２ａの左側側壁とで囲まれたスペースに収容配置している。一方、メガテスト用スイッチ（スライド操作式スイッチ）１１は、その可動接触子ホルダに連ねてスイッチケースから上方に引き出したロッドに傾斜カム形状になるアクチュエータ１６，および先端に操作ノブ１７を形成した構造になり、漏電検出回路７の収容位置とは反対側で零相変流器６と零相変流器を貫通する「Ｕ字形」の主回路導体とケース１２ａの側壁とで囲まれた凹状のスペース内に配置されている。そして、この内装位置で前記操作ノブ１７を本体ケース１２のカバー１２ｂに開口したスイッチ操作穴１２ｂ−１に臨ませ、アクチュエータ（傾斜カム）１６の先端を過電流引外し装置５の操作端（アーマチュア）を介してトリップクロスバー１５に対峙させている。また、トリップコイルユニット８は本体ケース１２の中央に配した操作ハンドル４の側方に配置しており、この組立レイアウトで主回路導体１３，メガテスト用スイッチ１１，漏電検出回路７，トリップコイル８の間を内部配線している（図５参照）。
【０００９】
なお、漏電遮断器を配電盤に装備する場合には、本体ケース１２のカバー１２ｂを前方に向けた縦向き姿勢で盤内に設置し、操作ハンドル４を配電盤の扉パネルに開口した窓穴より前方に突き出して盤外から開閉操作するようにしている。
上記の構成で、漏電遮断器のメガテストを実施する際に、前記の操作ノブ１７を本体ケース１２の前方から引出してメガテスト用スイッチ１１をＯＦＦ操作すると、漏電検出回路７の電源回路が断路される。同時にアクチュエータ１６が引外し装置５の操作端（アーマチュア）をキックしてトリップクロスバー１５をラッチ釈放位置に駆動する。これにより、開閉機構３が機械的にトリップ動作して主回路接点２（図５参照）が開極（ＯＦＦ）する。
【００１０】
また、メガテストの終了後に漏電遮断器を通常の使用状態に復帰するには、前記操作ノブ１７を押し込んでメガテスト用スイッチ１１をＯＮ位置に戻す。これにより、漏電検出回路７が主回路１の相間に接続される。同時に、アクチュエータ１６がトリップクロスバー１５の拘束を解除する。この状態で操作ハンドル４をリセット位置に倒した上でＯＮ位置に切換ると、主回路接点２が閉極して漏電遮断器が通常の使用状態に戻る。
【特許文献１】特開２００４−３１９１３５号公報（図１）
【特許文献２】特開２００４−３４９０６３号公報（図１−図４）
【発明の開示】
【発明が解決しようとする課題】
【００１１】
ところで、先記の漏電遮断器に対して、その本体ケース１２の内部にメガテスト用スイッチ１１を追加装備するには、該スイッチの設置スペース確保のほかに、スイッチの組立性，操作性，遮断器開閉機構とのインターロック機能などの面で解決すべき様々な問題がある。
すなわち、配線用回路遮断器と外形サイズを統一した漏電遮断器は、配線用回路遮断器と比べて零相変流器６，漏電検出回路７などの機能部品が多く、その本体ケース１２には各種の主要機能部品が殆ど残余スペースなしにびっしりと組み込まれており、このような条件の下でメガテスト用スイッチ１１を本体ケース１２の残余スペースに装備するには、メガテスト用スイッチ１１がコンパクトな構造であることに加えて、該スイッチの操作性，遮断器開閉機構とのインターロック機能についても、高い信頼性が要求される。
【００１２】
この点について、特許文献２に開示されている従来の漏電遮断器（図６参照）では、メガテスト用スイッチ１１として、遮断器本体ケース１２に内装したスライド操作式のスイッチ本体から上方に引出したロッドの操作ノブ１７に直接操作力を加えて開閉するようにし、またそのロッドに形成した傾斜カム形状のアクチュエータ１６の先端を遮断器開閉機構のトリップクロスバー１５に対峙させて両者の間をインターロックさせている。
【００１３】
しかしながらこの組立構造では、メガテスト用スイッチ１１の操作ノブ１７に過大な力を加えて乱暴に引出し，押し込み操作すると、スイッチ本体が破損するおそれがある。
また、操作ロッドに形成したアクチュエータ１６は上下動式の傾斜カムであるのに対して、遮断器のトリップクロスバー１５は傾動式のレバーである。このために、メガテスト時にメガテスト用スイッチ１１のロッドを引き出し操作して漏電遮断器をトリップさせた状態でも、メガテスト中に誤って遮断器の操作ハンドル４をリセット操作してトリップクロスバー１５にリセット方向の力を加えると、アクチュエータ（傾斜カム）１６がトリップクロスバーにより押し下げられてメガテスト用スイッチ１１がＯＦＦからＯＮに戻り、その結果として漏電検出回路７に高いテスト電圧が印加されるといった安全性の問題もあり、そのインターロック機能の信頼性を高める上からも更なる改善策が必要である。
【００１４】
本発明は上記の点に鑑みなされたものであり、先記した特許文献２のメガテスト用スイッチ付き漏電遮断器をベースに、メガテスト用スイッチの組立，操作性，および遮断器開閉機構とのインターロック機能を改善し、併せて遮断器の本体ケースに内装した主要機能部品のレイアウトを変更せずにメガテスト用スイッチを追加装備できるようその組立構造を改良した漏電遮断器を提供することを目的とする。
【課題を解決するための手段】
【００１５】
上記目的を達成するために、本発明によれば、過電流および地絡保護機能を備えた漏電遮断器であって、本体ケースに主回路接点，開閉機構，操作ハンドル，過電流引外し装置，および零相変流器と漏電検出回路を含む漏電引外し装置を搭載した上で、さらに前記漏電検出回路と主回路との間に配線した給電回路を入り，切りする手動操作式のメガテスト用スイッチを装備し、遮断器の絶縁・耐電圧試験時にメガテスト用スイッチをＯＦＦ操作して漏電検出回路を主回路から切り離すようにしたものにおいて、
前記メガテスト用スイッチを、スイッチ本体と、一端をスイッチ本体の操作ロッドに連繋し、他端を遮断器開閉機構のトリップクロスバーに対峙させたアクチュエータとの組立ユニットで構成して遮断器の本体ケースに内装するとともに、前記アクチュエータに対向してスイッチ本体をＯＮ／ＯＦＦ操作するプッシュ／捻回ロック式押ボタンを遮断器本体ケースのカバーに装着し、前記押ボタンのプッシュ／捻回操作によりアクチュエータを介してメガテスト用スイッチのスイッチ本体をＯＦＦさせるととともに、前記トリップクロスバーをラッチ釈放位置に駆動して遮断器をトリップさせ、同時に押ボタンをこの位置にロックしてトリップクロスバーをラッチ釈放位置に拘束保持するようにするものとし（請求項１）、その各部構造は次記のような具体的に態様で構成する。
（１）前記メガテスト用スイッチのスイッチ本体は、各極の間が仕切られた絶縁物製のスイッチケースと、左右一対の接触子を組みとしてスイッチケースの底部側に配した固定電極と、前記固定電極の上方に対向配置した橋絡形の可動接触子と、各極の可動接触子を一括保持してその操作端部をスイッチケースの上方に引出した可動接触子ホルダとの組立体で構成する（請求項２）。
（２）前記メガテスト用スイッチのアクチュエータは、付勢ばねと組合せたシーソー式レバーを基体として、その軸部の両側に延在する一方のアーム先端にスイッチ本体の操作端部と連繋する係合部を形成し、押ボタンの先端と向かい合う他方側のアーム先端を屈曲してトリップクロスバーの操作端に対峙させた構成とする（請求項３）。
（３）前記押ボタンは、復帰ばねと組合せて遮断器本体ケースのカバーに形成した筒状ガイドに嵌挿保持し、かつ筒状ガイドの周面にはボタンに形成した突起を嵌合して押ボタンをＯＮ／ＯＦＦ方向に案内する縦向きのスリット、および該スリットの下側終端から周方向に延在して押ボタンをプッシュ／捻回ロック位置に係止保持する係合段部を形成する（請求項４）。
（４）前項（１）の構成において、メガテスト用スイッチを遮断器の本体ケースに搭載した零相変流器と本体ケースの側壁との間でその前後が零相変流器を貫通するＵ字状の主回路導体で囲まれた凹状スペースに内装し、かつスイッチ本体とアクチュエータを保持するユニットケースに本体ケースの側壁上縁に形成した係合溝に嵌合してユニット組立体を所定位置に係止保持する係合凸部を設ける（請求項５）。
（５）前項（３）の構成において、遮断器本体ケースのカバー上面にトップカバーを付設し、前記カバーに装着した押ボタンの操作端に位置を合わせてトップカバーに押ボタンの操作窓穴を開口する（請求項６）。
【発明の効果】
【００１６】
上記の構成により、次記の効果を奏することができる。
（１）メガテスト用スイッチを、スイッチ本体とアクチュエータとの組立ユニットで構成し、かつこのユニットと切り離して遮断器本体ケースのカバーにプッシュ／捻回ロック式押ボタンを復帰ばねと組合せて装着したことにより、押ボタンに過大な操作力を加えても、その過大な操作力は本体ケースのカバーが受け止めるので、メガテスト用スイッチ本体を破壊から安全に保護できる。
（２）ここで、前記のアクチュエータをシーソー式レバーとして、そのレバーアームの先端屈曲部を遮断器のトリップクロスバーの操作端に対峙させるようにしたことにより、押ボタンのプッシュ操作によるメガテスト用スイッチ本体のＯＦＦ動作と連動して、トリップクロスバーを側方からラッチ釈放位置へ確実に駆動して遮断器を機械的にトリップ動作させることができる。
（３）また、メガテスト用スイッチのＯＦＦ操作時に押ボタンをプッシュ／捻回ロック位置で本体ケースカバーの筒状ガイドに係止保持させるようにしたことにより、アクチュエータを介してトリップクロスバーをラッチ釈放位置に確実に拘束保持できる。しかも、押ボタンをＯＮ位置に戻さない限りは、遮断器のハンドルをリセット操作しようとしても、トリップクロスバーがラッチ釈放位置に拘束されているために遮断器の主回路接点をリセットすることができない。これにより、漏電遮断器のメガテスト中にハンドルの誤操作でメガテスト用スイッチがＯＮ位置に投入されたり、またテスト終了後にメガテスト用スイッチの入れ忘れが原因で漏電遮断器の使用再開後に地絡検出機能が働かなくなるといった事態を確実に回避できてスイッチ機能の信頼性が向上する。
（３）そのほか、遮断器に搭載した零相変流器の側面と本体ケースの側壁との間の残余スペースを活用してここにユニット化したメガテスト用スイッチを収容配置することで、漏電遮断器の主要部品，付属機能部品のレイアウトを変更させることなしに、その本体ケースにメガテスト用スイッチユニットを容易に追加装備することができる。また、これに加えてメガテスト用スイッチのユニットケースに設けた係合凸部を本体ケースの側壁上縁に形成した係合溝に嵌合させたことで、スイッチユニットを所定位置に位置決めして本体ケースとカバーとの間に保持できる。
【発明を実施するための最良の形態】
【００１７】
以下、本発明の実施の形態を図１〜図４に示す実施例に基づいて説明する。なお、図示実施例において、図５，図６に対応する同一部材には同じ符号を付している。
まず、本発明によるメガテスト用スイッチの組立ユニットを装備した漏電遮断器の全体構成を図３に示す。図において、１２はケース１２ａ，カバー１２ｂおよびトップカバー１２ｃの分割構造になる漏電遮断器の本体ケースである。ここで、本体ケース１２のケース１２ａには、図６と同様に開閉機構３，操作ハンドル４，過電流引外し装置５，零相変流器６，漏電検出回路７，トリップコイルユニット８，主回路導体１３，消弧室１４，開閉機構３のラッチに連繋したトリップクロスバー１５が搭載されており、さらに本発明によるメガテスト用スイッチユニット１８が零相変流器６とケース１２ａの側壁との間で、その前後が零相変流器の環状コアに嵌挿したＵ字状の主回路導体（Ｒ相）１３で囲まれた凹状スペースに収容装備されている。また、カバー１２ｂにはメガテスト用スイッチをＯＮ／ＯＦＦ操作する押ボタン１９を組み付け、トップカバー１２ｃには押ボタン１９に対応する操作窓穴１２ｃ−１が開口している。
【００１８】
次に、前記したメガテスト用スイッチユニット１８および押ボタン１９の詳細構造を図２の分解図を参照して説明する。まず、スイッチユニット１８はスイッチ本体２０と、アクチュエータ２１と、ユニットケース２２との組立体からなり、ユニットケース２２にスイッチ本体２０およびアクチュエータ２１が後記のように組み付けられている。
ここで、スイッチ本体２０は、図４で示すようにケース内部が各極ごとに隔壁で仕切られた箱形のスイッチケース（モールド樹脂ケース）２０ａと、左右一対の接点を組みとしてスイッチケース２０ａの下部側に組み込んだ固定電極２０ｂと、該固定電極２０ｂに対向する橋絡形の可動接触子２０ｃと、各極の可動接触子２０ｃを一括保持してスイッチケース２０ａから上方に引き出した可動接触子ホルダ２０ｄとからなり、接触子ホルダ２０ｄの先端にはフック形の摘み部２０ｄ−１が形成されている。
【００１９】
上記の構成で、接触子ホルダ２０ｄを図４（ａ）の矢印Ａ方向に押し込むと、可動接触子２０ｃが固定電極２０ｂに接触してスイッチＯＮとなる。また、接触子ホルダ２０ｃを図４（ｂ）の矢印Ｂ方向に引き上げると可動接触子２０ｃが固定電極２０ｂから開離してスイッチＯＦＦとなる。
そして、このスイッチ本体２０は、図２で示すようにユニットケース２２の中段位置に形成したスイッチ支持段部２２ａに側方から嵌め込んで定位置にスナップフィット結合される。なお、２５はスイッチ本体２０の固定電極２０ｂに配線してスイッチケース２０ａから引き出したリード線である。
【００２０】
また、前記ユニットケース２２の外側面には係合凸部２２ｃが形成されており、図３で表すように遮断器の本体ケース１２にメガテスト用スイッチユニット１８を装着した状態で、前記係合凸部２２ｃをケース１２ａの側壁上端縁に切欠き形成した係合溝１２ａ−１に嵌め込んで定位置に位置決め保持するようにしている。
一方、アクチュエータ２１は、軸部２１ａを支点として左右にアームが延在するシーソー式のレバーを基体としてこれに付勢ばね（捩じりコイルばね）２１ｄを組合せ、前記軸部２１ａを介してユニットケース２２の頂部に設けた軸受部２２ｂに組み付けられる。
【００２１】
ここで、前記軸部２１ａから右側に延在するレバーアームの先端には前記のスイッチ本体２０から上方に引き出した可動接触子ホルダ２０ｄの摘み部２０ｄ−１に引っ掛ける係合腕部２１ｂが形成されている。また、軸部２１ａから左側に延在するレバーアームはその先端部２１ｃが上向きに屈曲し、この先端部２１ｃを後記のように遮断器のトリップクロスバーと対峙させるようにしている。なお、アクチュエータ２１のレバーに組み付けた付勢ばね２１ｄは、アクチュエータの自由状態でレバーを時計方向に付勢して前記スイッチ本体２０の可動接触子ホルダ２０ｄ−１（図４参照）をＯＮ位置に押し込み駆動する。
【００２２】
一方、押ボタン１９はプッシュ／捻回ロック式ボタンで、本体ケースのカバー１２ｂの裏面側に突き出すよう一体成形した筒状ガイド２３の中に復帰ばね（圧縮コイルばね）を介して嵌入保持されており、この嵌入位置で押ボタン１９の先端が前記アクチュエータ２１のレバーアーム（左側）に対向している。
ここで、押ボタン１９上端頭部にはドライバー（工具）を挿入する溝が切り込まれ、該頭部から下方に延在する軸部の先端に形成した係合突起１９ａを筒状ガイド２３の先端にスナップフィット結合して抜け止め保持されている。また、押ボタン１９の頭部周面にはガイド用の突起１９ｂを形成し、この突起１９ｂに対応して筒状ガイド２３の周面には縦方向の案内用スリット２３ａ、およびスリット２３ａの終端から周方向に延在する係合段部２３ｂが形成されており、この構造で押ボタン１９をプッシュ方向にガイドし、またプッシュ／捻回操作により押ボタン１９をロック位置に係止保持するようにしている。
【００２３】
次に、図１（ａ），（ｂ）を参照して、前記メガテスト用スイッチユニット１８および押ボタン１９の機能，動作を説明する。なお、図示は図２で述べたメガテスト用スイッチユニット１８，および押ボタン１９を遮断器の本体ケースに装着した状態を表しており、図１（ａ），（ｂ）はそれぞれメガテスト用スイッチのＯＮ，ＯＦＦ状態を表している。
すなわち、漏電遮断器の定常使用状態では、図１（ａ）のように押ボタン１９は復帰ばね２４のばね力を受けて筒状ガイド２３の上方に押し上げられた位置に後退待機している。この状態ではメガテスト用スイッチユニット１８のアクチュエータ２１が付勢ばね２１ｄ（図２参照）のばね力で時計方向に傾動し、スイッチ本体２０の可動接触子ホルダ２０ｃ（図４参照）を押し下げてスイッチＯＮの状態に保持している。また、アクチュエータ２１の屈曲先端部２１ｃはトリップクロスバー１５の操作端から後退している。これにより、図５に示した主回路１の相間電圧が漏電検出回路７に給電される。
【００２４】
一方、漏電遮断器のメガテストを実施するに際して、外部からドライバーなどの工具を使って押ボタン１９を矢印Ａ方向へ一杯に押し込んで捻回操作すると、押ボタンの先端がメガテスト用スイッチユニット１８のアクチュエータ２１を突き押してそのレバーを反時計方向に傾動させるとともに、押ボタン自身はその頭部側面の突起１９ｂが筒状ガイド２３に形成した係合段部２３ｂに係合し、復帰ばね２４のばね力を受けてプッシュ位置に係止保持される。また、アクチュエータ２１も反時計方向に傾動した後、押ボタン１９に押さえられて傾動位置に拘束保持される。
【００２５】
これにより、スイッチ本体２０は図４（ｂ）で示すように接触子ホルダ２０ｄが矢印Ｂ方向に引き上げられて接点がＯＦＦし、図５における電源９の回路を断路する。また、アクチュエータ２１のレバー先端部２１ｃがトリップクロスバー１５の操作端をキックし、トリップクロスバーを矢印Ｃ方向のラッチ釈放位置に駆動して遮断器の開閉機構を機械的にトリップさせる。また、これにより、図５の主回路接点２が開極してメガテストの準備態勢が整うことになる。なお、この状態では、遮断器のハンドル４（図３参照）を誤ってリセット操作しようとしても、トリップクロスバー１５がラッチ釈放位置に拘束されているので、主回路接点を投入させることはできず、これによりメガテストを適正に行うことができる。
【００２６】
そして、メガテストの終了後に、押ボタン１９を前記と逆方向に捻回操作して突起１９ｂを筒状ガイド２３の係合段部２３ｂから外すと、押ボタン１９は復帰ばね２４のばね力で上方にポップアップし、アクチュエータ２１の拘束を解く。これにより、アクチュエータ２１のレバーは付勢ばね２１ｄのばね力により時計方向に揺動して図１（ａ）の状態に復帰し、スイッチ本体２０がＯＮに切り換わるとともに、トリップクロスバー１５の拘束も解除される。
【００２７】
したがって、トリップ位置に停止している遮断器のハンドル４（図３参照）を一旦リセット位置に戻してからＯＮ位置に投入することで、主回路接点２（図５参照）が閉極して漏電遮断器が通常の使用状態に復帰する。なお、この場合に、押ボタン１９を戻さない限りは、操作ハンドル４をリセット操作しても開閉機構部３がリセットされず、したがって主回路接点２を投入することができない。これにより、メガテスト用スイッチの入れ忘れが原因で漏電遮断器の地絡検出，漏電保護機能が働かなくなるといったトラブルを回避できる。
【図面の簡単な説明】
【００２８】
【図１】本発明の実施例によるメガテスト用スイッチユニットの動作，機能の説明図で、（ａ），（ｂ）はそれぞれメガテスト用スイッチのＯＮ，ＯＦＦに対応した押ボタン，アクチュエータの動作状態を表す主要部の斜視図
【図２】図１に示したメガテスト用スイッチユニットおよび押ボタンの詳細構造図で、（ａ）は各部品の分解斜視図、（ｂ）は（ａ）における筒状ガイドの裏面側から見た斜視図
【図３】図１のメガテスト用スイッチユニットおよび押ボタンを本体ケースに装備した漏電遮断器全体の内部構造を表す斜視図
【図４】図２におけるスイッチ本体の内部構造および動作を表す図で、（ａ），（ｂ）はそれぞれスイッチのＯＮ，ＯＦＦの動作状態図
【図５】メガテスト用スイッチ付き漏電遮断器の回路図
【図６】従来のメガテスト用スイッチを搭載した漏電遮断器の全体構造を表す斜視図
【符号の説明】
【００２９】
１    主回路
２    主回路接点
３    開閉機構
４    操作ハンドル
５    過電流引外し装置
６    零相変流器
７    漏電検出回路
８    トリップコイルユニット
１２    本体ケース
１２ａ  ケース
１２ｂ  カバー
１２ｃ  トップカバー
１２ｃ−１  操作窓穴
１３    主回路導体
１５    トリップクロスバー
１８    メガテスト用スイッチユニット
１９    押ボタン
１９ｂ  突起
２０    スイッチ本体（メガテスト用スイッチ）
２０ａ  スイッチケース
２０ｂ  固定電極
２０ｃ  可動接触子
２０ｄ  可動接触子ホルダ
２１    アクチュエータ
２１ｄ  付勢ばね
２２    ユニットケース
２２ｃ  係合凸部
２３    筒状ガイド
２３ａ  スリット
２３ｂ  係合段部
２４    復帰ばね
【図１】
0004816246.tif 000002
【図２】
0004816246.tif 000003
【図３】
0004816246.tif 000004
【図４】
0004816246.tif 000005
【図５】
0004816246.tif 000006
【図６】
0004816246.tif 000007